(57)【要約】      （修正有）【課題】植物系樹脂組成物の成形体としての記念品を提供する。【解決手段】記念品１は、立体造形物２を単独で、あるいは立体造形物２を保持する樹脂基体３と共に備える。立体造形物２は、文字、標章、ロゴ等の少なくとも１種を含んで構成される。植物系樹脂組成物は、（Ａ）植物粉と、（Ｂ）前記植物粉の表面をコーティングするコーティング材料と、（Ｃ）融点１２５〜３５０℃のベース樹脂とを含み、（Ｂ）コーティング材料は、融点４０〜１５５℃のワックス系樹脂材料、滑剤及び分散剤からなる群から選ばれる少なくとも１種を含み、（Ａ）植物粉と前記（Ｃ）ベース樹脂との重量比は、植物粉：ベース樹脂＝７０：３０〜５：９５である。【選択図】図１
0003207882.tif 000002
【実用新案登録請求の範囲】
【請求項１】
立体造形物を単独で、あるいは前記立体造形物を保持する樹脂基体と共に備え、
前記立体造形物は、文字、数字、記号、符号、印、標章、紋章、ロゴ、サイン、図案、固有形状、パターン、及びこれらの組合せから選択される少なくとも１種を含んで構成され、
前記立体造形物及び／又は前記樹脂基体は、植物系樹脂組成物を単独で、あるいは他の樹脂組成物と組み合わせて成形されてなる成形体であり、
前記植物系樹脂組成物は、（Ａ）植物粉と、（Ｂ）前記植物粉の表面をコーティングするコーティング材料と、（Ｃ）融点１２５〜３５０℃のベース樹脂とを含み、
前記（Ｂ）コーティング材料は、融点４０〜１５５℃のワックス系樹脂材料、滑剤及び分散剤からなる群から選ばれる少なくとも１種を含み、
前記（Ａ）植物粉と前記（Ｃ）ベース樹脂との重量比は、植物粉：ベース樹脂＝７０：３０〜５：９５である、記念品。
【請求項２】
前記立体造形物を前記樹脂基体と共に備え、
前記立体造形物と前記樹脂基体とが一体に成形されている、請求項１に記載の記念品。
【請求項３】
前記立体造形物を前記樹脂基体と共に備え、
前記立体造形物と前記樹脂基体とは、別体であり、前記立体造形物と前記樹脂基体とは、接合によって一体化されている、請求項１に記載の記念品。
【考案の詳細な説明】
【技術分野】
【０００１】
本考案は、記念品、より詳しくは、競技会や記念日を初めとした各種のイベント等において、表彰物や贈り物、イベントグッズとして用いる記念品に関する。
【背景技術】
【０００２】
近年、廃棄時のカーボンニュートラルによる二酸化炭素排出削減や間伐材の有効利用による森林保全に寄与できる新規な木質樹脂が提案されている。この材料は、溶融粘度が低く、成形性に優れるとともに、天然木材等に近い良好な外観を付与することが可能で、しかも成形時の原料木粉の熱分解による変色（焼けこげ）が抑制され、着色や接着、塗装さらには金属メッキを付することの可能な成形品を得ることができる木質樹脂ペレットが提案されている（特許文献１参照）。
【０００３】
この木質樹脂ペレットは、植物粉とベース樹脂との合計１００重量％に対して５〜７０重量％という多量の木粉等の植物系粉体が配合されている。一般に、木粉が多量に存在すると、溶融時の流動性が低下し、溶融粘度が上昇することによって、成形性が著しく低下し、生産性に悪影響を及ぼす。また、得られた成形品の表面状態や形状等に不具合が発生し、品質面で問題が生じる。さらに押出成形はともかく、射出成形は大変困難であり、連続成形・安定成形が難しいという根本的な課題があった。
【０００４】
しかしながら、上記木質樹脂ペレットは、多量の植物系粉体が配合されているにもかかわらず、樹脂ペレットの溶融粘度を低下でき、成形時の変色（焼けこげ）が抑制され、射出成形品の木質感等の外観と物性、特に、弾性率、耐熱性、着色性、塗装性、金属メッキ性、接着性の向上といった長所を発現できることが確認された。
【０００５】
そして、上記の木質樹脂ペレットの用途として、自動車用部品、自動車内装材、日用雑貨品、コンテナ、電気製品等が提案されている。
【先行技術文献】
【特許文献】
【０００６】
【特許文献１】特開２０１４−０２５０５３号公報
【考案の概要】
【考案が解決しようとする課題】
【０００７】
上記木質樹脂ペレットをよりいっそう広く普及させるため、さらに別の用途を提供することが求められる。
【０００８】
本考案は、上記木質樹脂ペレットについて、新たに別の用途を提供することを目的とする。
【課題を解決するための手段】
【０００９】
本考案者は、上記課題を解決すべく、鋭意研究を重ねた。その結果、競技会等の各種のイベントで贈られる盾、カップ又はトロフィー等の記念品として、上記木質樹脂ペレットを用いることで、天然木材等に近い良好な外観を呈するだけでなく、文字、数字、ロゴ、図案等といった浮彫調の立体造形物を、単独で、あるいは、樹脂基体とともに射出成形によっても容易に一体化できることから、極めて高い意匠性を有する記念品を容易かつリーズナブルに提供できる、という木質樹脂ペレットの新たな用途を見出し、本考案を完成するに至った。具体的に、本考案は、以下のものを提供する。
【００１０】
本考案の記念品は、立体造形物を単独で、あるいは前記立体造形物を保持する樹脂基体と共に備え、前記立体造形物は、文字、数字、記号、符号、印、標章、紋章、ロゴ、サイン、図案、固有形状、パターン、及びこれらの組合せから選択される少なくとも１種を含んで構成され、前記立体造形物及び／又は前記樹脂基体は、植物系樹脂組成物を単独で、あるいは他の樹脂組成物と組み合わせて成形されてなる成形体であり、前記植物系樹脂組成物は、（Ａ）植物粉と、（Ｂ）前記植物粉の表面をコーティングするコーティング材料と、（Ｃ）融点１２５〜３５０℃のベース樹脂とを含み、前記（Ｂ）コーティング材料は、融点４０〜１５５℃のワックス系樹脂材料、滑剤及び分散剤からなる群から選ばれる少なくとも１種を含み、前記（Ａ）植物粉と前記（Ｃ）ベース樹脂との重量比は、植物粉：ベース樹脂＝７０：３０〜５：９５である。
【００１１】
本考案の記念品は、前記立体造形物を前記樹脂基体と共に備え、前記立体造形物と前記樹脂基体とが一体に成形されていてもよい。
【００１２】
また、本考案の記念品は、前記立体造形物を前記樹脂基体と共に備え、前記立体造形物と前記樹脂基体とは、別体であり、前記立体造形物と前記樹脂基体とは、接合によって一体化されていてもよい。
【考案の効果】
【００１３】
本考案によれば、植物粉とベース樹脂との合計１００重量％に対して５〜７０重量％という多量の木粉等の植物系粉体が配合された木質樹脂ペレットについて、自動用部品、自動車内装材、日用雑貨品、コンテナ、電気製品等といった用途とは別の新たな用途を提供できる。具体的には、競技会等の各種のイベントで贈られる盾、カップ又はトロフィー等の記念品として、上記木質樹脂ペレットを用いることで、天然木材等に近い良好な外観を呈するだけでなく、文字、数字、ロゴ、図案等といった浮彫調の立体造形物を、単独で、あるいは、樹脂基体とともに射出成形によっても容易に一体化できることから、極めて高い意匠性を有する記念品を容易かつリーズナブルに提供できる点で、木質樹脂ペレットの新たな用途を提供できる。
【図面の簡単な説明】
【００１４】
【図１】本考案の記念品が記念盾である場合の一例を示す模式図である。
【図２】本考案の記念品が記念バッジである場合の一例を示す模式図である。
【考案を実施するための形態】
【００１５】
以下、本考案の具体的な実施形態について、詳細に説明するが、本考案は、以下の実施形態に何ら限定されるものではなく、本考案の目的の範囲内において、適宜変更を加えて実施することができる。
【００１６】
＜記念品＞
図１は、本考案の一実施形態に係る記念品１を斜視したときの一例を示す模式図である。本実施形態では、２０２０年東京オリンピックの記念盾を例にして説明するが、これに限られるものではない。例えば、パラリンピックの記念盾、プロ野球、Ｊリーグ等の優勝記念盾のほか、競技会の記念盾等、種々のイベントで利用可能である。
【００１７】
記念品１は、立体造形物２と、この立体構造物２を保持する樹脂基体３とを備える。
【００１８】
〔立体造形物〕
立体造形物２は、文字、数字、記号、符号、印、標章、紋章、ロゴ、サイン、図案、固有形状、パターン、及びこれらの組合せから選択される少なくとも１種を含んで構成される。そして、これらの文字、数字、記号、符号、印、標章、紋章、ロゴ、サイン、図案、固有形状、パターン、及びこれらの組合せは、浮彫調（レリーフ調）に形成される。本実施形態の例では、立体造形物２は、上から、東京オリンピックの標章２Ａ、「ＴＯＫＹＯ  ２０２０」との文字２Ｂ、五輪マーク（オリンピックマーク）の標章２Ｃ、及び「２４  Ｊｕｌｙ〜９  Ａｕｇ」の文字２Ｃを含んで構成される。
【００１９】
〔樹脂基体３〕
樹脂基体３は、記念品１の基材として機能する。
【００２０】
ここで、立体造形物２及び／又は樹脂基体３は、植物系樹脂組成物を単独で、あるいは他の樹脂組成物と組み合わせて成形されてなる成形体である。本実施形態では、樹脂基体３が、植物系樹脂組成物を単独で、あるいは他の樹脂組成物と組み合わせて成形されてなる成形体であるものとして説明するが、これに限るものではない。立体造形物２が植物系樹脂組成物を単独で、あるいは他の樹脂組成物と組み合わせて成形されてなる成形体であってもよいし、立体造形物２と、樹脂基体３との両方が、植物系樹脂組成物を単独で、あるいは他の樹脂組成物と組み合わせて成形されてなる成形体であってもよい。
【００２１】
なお、他方の成形体は、一方の樹脂成形体（植物系樹脂組成物を単独で、あるいは他の樹脂組成物と組み合わせて成形されてなる成形体）と一体化できる材料であれば、どのような材料であってもよい。
【００２２】
なお、図示は省略するが、樹脂基体３の裏面に、立脚するための支え部材を設けたり、壁取付用の紐を取付できるような窪みや突起、釘穴を設け、記念品１の壁への取付を容易にしてもよい。
【００２３】
［植物系樹脂組成物］
植物系樹脂組成物は、（Ａ）植物粉と、（Ｂ）この植物粉の表面をコーティングするコーティング材料と、（Ｃ）融点１２５〜３５０℃のベース樹脂とを含む。
【００２４】
（（Ａ）植物粉）
植物粉は、植物を粉末状にしたものであれば、特に限定されない。植物粉として、例えば、杉、檜、松、栂、ラワン、チーク等の針葉樹や広葉樹の材木片、鉋屑、鋸屑、竹、梅果実の種、竹、もみ、ヤシ、コーヒー抽出後のコーヒー豆、わら、米、コーンコブミール、茶葉等の乾燥品又は非乾燥品を適当な平均粒径になるように必要に応じて粉砕して使用することができる。
【００２５】
（（Ｂ）コーティング材料）
（Ａ）植物粉は、（Ｂ）コーティング材料によって表面がコーティングされている。植物粉の表面がコーティングされていることで、植物粉と、溶融されたベース樹脂とを混合する際に、植物粉の焼け（炭化）、着色、におい、ガスの発生等が生じるのを抑制できる。また、成形体の着色性に優れており、成形体の品質の劣化を防止することができる。
【００２６】
コーティング材料は、融点４０〜１５５℃のワックス系樹脂材料、滑剤及び分散剤からなる群から選ばれる少なくとも１種を含む。
【００２７】
（（Ｃ）ベース樹脂）
植物系樹脂組成物は、（Ｃ）融点１２５〜３５０℃のベース樹脂を含む。
【００２８】
ベース樹脂としては、熱硬化性樹脂、熱可塑性樹脂のいずれを使用してもよく、熱可塑性樹脂として、非結晶性プラスチック、結晶性プラスチックのいずれを使用してもよい。
【００２９】
（Ａ）植物粉と（Ｃ）ベース樹脂との重量比は、植物粉：ベース樹脂＝７０：３０〜５：９５である。
【００３０】
（他の添加剤）
植物系樹脂組成物は、適宜、着色剤、難燃剤、耐候剤、酸化防止剤等の添加剤を含んでもよい。
【００３１】
〔立体造形物２と樹脂基体３との一体化〕
立体造形物２と樹脂基体３とは、射出成形等によって一体化されてもよい。文字、数字、ロゴ、図案等といった浮彫調の立体造形物２を、樹脂基体３とともに射出成形によっても容易に一体化することで、極めて高い意匠性を有する記念品１を容易かつリーズナブルに提供できる。
【００３２】
他方、立体造形物２と樹脂基体３とが別体であり、立体造形物２及び／又は樹脂基体３に美粧加工を施した後、立体造形物２と樹脂基体３とを接合によって一体化してもよい。
【００３３】
美粧加工の種類は、特に限定されない。本実施形態のように、記念品１が記念盾である場合、立体造形物２や、樹脂基体３に、着色や彩色塗装あるいはメッキ処理を施したり、うるし調の塗装を施してよりいっそう天然木材等に近い質感を付すること等が挙げられる。
【００３４】
〔変形例〕
これまで、記念品１が、立体造形物２を、立体造形物２を保持する樹脂基体３と共に備える場合について説明した。しかしながら、記念品は、立体造形物を単独で備えてもよい。この場合、記念品は、樹脂基体を備えない。
【００３５】
図２は、立体造形物を単独で備え、樹脂基体を備えない場合の記念品１１を正面視したときの一例を示す模式図である。本実施形態では、２０２０年東京オリンピックのエンブレムを付したバッジを例にして説明するが、これに限られるものではない。例えば、各種イベントでのバッジや、各種記念でのバッジに利用可能である。
【００３６】
記念品１１は、立体造形物１２を単独で備える。
【００３７】
立体造形物１２は、文字、数字、記号、符号、印、標章、紋章、ロゴ、サイン、図案、固有形状、パターン、及びこれらの組合せから選択される少なくとも１種を含んで構成される。本変形例においても、文字、数字、記号、符号、印、標章、紋章、ロゴ、サイン、図案、固有形状、パターン、及びこれらの組合せは、浮彫調（レリーフ調）に形成される。本変形例では、立体造形物１２は、上から、東京オリンピックの標章１２Ａ、「ＴＯＫＹＯ  ２０２０」との文字１２Ｂ、及び五輪マーク（オリンピックマーク）の標章１２Ｃを含んで構成される。
【００３８】
そして、立体造形物１２は、上記植物系樹脂組成物を単独で、あるいは上記他の樹脂組成物と組み合わせて成形されてなる成形体である。
【００３９】
なお、図示は省略するが、立体造形物１２の裏面に、両用クリップ等を取り付けることで、記念品１１を胸元に留めることができる。
【００４０】
〔まとめ〕
本考案によれば、植物粉とベース樹脂との合計１００重量％に対して５〜７０重量％という多量の木粉等の植物系粉体が配合された木質樹脂ペレットについて、自動用部品、自動車内装材、日用雑貨品、コンテナ、電気製品等といった用途とは別の新たな用途を提供できる。具体的には、競技会等の各種のイベントで贈られる盾、カップ又はトロフィー等の記念品として、上記木質樹脂ペレットを用いることで、天然木材等に近い良好な外観を呈するだけでなく、文字、数字、ロゴ、図案等といった浮彫調の立体造形物を、単独で、あるいは、樹脂基体とともに射出成形によっても容易に一体化できることから、極めて高い意匠性を有する記念品を容易かつリーズナブルに提供できる点で、木質樹脂ペレットの新たな用途を提供できる。
【符号の説明】
【００４１】
１    記念品（記念盾）
２    立体造形物
３    樹脂基体
１１  記念品（バッジ）
１２  立体造形物
【図１】
0003207882.tif 000003
【図２】
0003207882.tif 000004